(57)【特許請求の範囲】
【請求項１】
複数の表示部を上下に配置した計器パネルを有する車両用表示装置において、
前記計器パネルの上部表示部に車幅方向に並置されたスピードメータおよびタコメータと、
前記計器パネルの下部表示部に設けられた液晶表示パネルと、
前記上部表示部の上方に設けられた第１のバイザーと、
前記上部表示部と下部表示部との境に設けられた第２のバイザーとを具備するとともに、
前記第１のバイザーと第２のバイザーとが一体に形成され、
前記第２のバイザーの幅を第１のバイザーの幅より狭くしたことを特徴とする車両用表示装置。
【請求項２】
前記複数の表示部のうち下部表示部の表面が、上部表示部の表示面より運転者寄りに位置するよう設定されていることを特徴とする請求項１記載の車両用表示装置。
【発明の詳細な説明】
【０００１】
【発明の属する技術分野】
本発明は、車両用表示装置に関し、特に、外光の写り込みをなくするための遮光板（バイザー）を備えた車両用表示装置に関する。
【０００２】
【従来の技術】
自動二輪車やオープンカー等、計器盤等の表示装置が外光にさらされやすい型の車両、あるいはスポーツカー等、フロントウインドウの傾斜がきついような車両では、表示面への外光の写り込み、あるいは、表示装置のカバーレンズによる太陽光の反射が運転者の視野に入ることを防止するためバイザーが設けられる。図６はバイザーを含む計器盤の側面図である。同図において、計器盤Ｍに対する外光Ｓの写り込みを防ぐため、計器盤Ｍの上方に位置するインパネＰを延長させてバイザーＶを形成している。
【０００３】
長さＬ１のバイザーＶによって計器盤Ｍに設置される第１表示器Ｄ１に対する上方の外光Ｓを遮光することができる。近年、第１表示器Ｄ１の斜め下方に第２表示器Ｄ２を設置することが考えられており、この第２表示器Ｄ２位置へ入射する光の遮光およびカバーレンズによる反射光が運転者Ｒの目に届かないことを考慮した場合、バイザーＶは長さＬ２まで延長しなくてはならない。
【０００４】
しかし、バイザーＶが大きくなると、計器盤Ｍを見る運転者の視野が制限される。運転者と車体との距離を一定に保持したままバイザーＶを長くしようとすると、表示面と運転者との距離が遠くなり、この点からも表示が見にくくなってしまうおそれがある。また、大きいバイザーはデザイン上の美観を損なうおそれもある。
【０００５】
特開平１−２７５２８６号公報や実開平２−３９９８６号公報には、２つの表示器を縦方向に配設した自動二輪車において、上方の表示器を車両後方寄り、つまり運転者寄りに偏倚させて配置したものが開示されている。この自動二輪車においては、下方の表示器に対する上方からの光を上方の表示器によって遮ることができる。
【０００６】
【発明が解決しようとする課題】
上記公報の自動二輪車によれば、バイザーの長さを決定するにあたり下方の表示器を考慮する必要はない。しかし、下方の表示器は運転者から遠くなるという問題点があるし、下方の表示器に対する遮光範囲や視野の範囲は上方の表示器によって一義的に決定され、下方の表示器を十分に考慮した遮光範囲の設定や視野の設定をしにくいという問題点もある。
【０００７】
本発明の目的は、上記問題点を解消し、複数の表示面に対する外光の写り込みを防止して運転者が見やすい表示面を確保することができる車両用表示装置を提供することにある。
【０００８】
【課題を解決するための手段】
前記目的を達成するために、本発明は、複数の表示部からなる計器パネルを有する車両用表示装置において、前記計器パネルの上方に設けられた第１のバイザーと、運転者から見て上下方向に前記計器パネル面を区画するよう前記表示部の境に位置して設けられた第２のバイザーとを具備した点に第１の特徴がある。
【０００９】
第１の特徴によれば、上下方向に区画された下側表示部については第２のバイザーで遮光されるので、第１のバイザーは上側表示部のみの遮光を考慮して寸法を決定すればよい。したがって、第１のバイザーが運転者寄りに突出する量を小さくすることができる。また、複数の表示部が第２のバイザーで区画されるので、運転者に複数の表示部の表示内容を意識させやすい。
【００１０】
また、本発明は、前記第２のバイザーで区画された複数の表示部のうち下側に位置する表示部の表示面が、上側に位置する表示部の表示面より運転者寄りに位置するよう設定されている点に第２の特徴がある。
【００１１】
第２の特徴によれば、下側の表示部を運転者側に拡大できるので、広い表示面積をとることができる。このように表示面積を広くしても、第２のバイザーによって外光の写り込みを防止できる。
【００１２】
【発明の実施の形態】
以下、図面を参照して本発明の一実施形態を説明する。図５は、本発明の一実施形態に係る車両用表示装置を搭載した自動二輪車の外観を示す側面図である。同図において、自動二輪車（以下、「車両」という）１は水平対向６気筒型のエンジン２を搭載しており、そのフレーム構造は、ステアリングヘッド３から車両後方へ左右二叉に延びたツインフレーム形式のメインフレーム４と、メインフレーム４から後方に結合されたリヤフレーム５とから構成されている。ステアリングヘッド３には走行方向左右に配置された２本のパイプからなるフロントフォーク６が操舵方向に回動自在に設けられており、その上部つまりトップブリッジにハンドル７が固定される。フロントフォーク６の下端に設けられた前輪軸８には前輪９が回転自在に支持される。
【００１３】
ハンドル７の前方には表示パネルや制御部からなる表示装置つまりメータユニット１０が設けられ、メータユニット１０には外光を遮るためのバイザー５０が設けられる。バイザー５０はメータユニット１０のうち上部の表示面に対応するものであり、下部の表示面に対応する図示しない第２のバイザーがさらに設けられる。メータユニット１０には表示面の照明装置およびその照明装置の輝度を調整する調光装置が設けられる。バイザーおよび調光装置の詳細は後述する。
【００１４】
車両１の前部を覆うフロントフェアリング（カウル）１１の前方には灯火装置のレンズ面（クリアレンズ）１２が取り付けられる。フロントカウル１１内には、灯火装置として使用されている放電灯の昇圧装置（バラスト）１３が収容される。フロントカウル１１の上部には風防スクリーン１４が設けられ、風防スクリーン１４の取付部近傍には空気導入口１５が形成される。
【００１５】
メインフレーム４上には燃料タンク１６が設けられ、その後方には、リヤフレーム５上に搭載された運転者シート１７および同乗者シート１８が配置される。同乗者シート１８は運転者シート１７と一体に形成されていて、かつ、背もたれ１９を有する。背もたれ１９の背後にはリヤトランク２０が設けられる。リヤトランク２０の後部にはリヤストップランプ２１およびウインカライト２２が設けられる。リヤトランク２０の下方、後輪２６の左右にはサイドトランク２３が設けられ、その後部にはもう一組のリヤストップランプ２４およびウインカライト２５が設けられる。
【００１６】
燃料タンク１６の下部前方にはエアクリーナ２７が設けられ、エアクリーナ２７の前方に設けられたスロットルボディ２８からはインテークマニホルド２９が伸びる。インテークマニホルド２９は車体の左右に対向配置された３気筒にそれぞれ結合され、これらの各気筒の上流には図示しない燃料噴射装置が配置される。エンジン２から後方へエキゾーストマニホルド３０が引出され、このエキゾーストマニホルド３０はマフラ３１に連結される。
【００１７】
運転者シート１７の下方両側はサイドカバー３２で覆われ、エンジン２の前方にはフロントロアカウル３３が配置される。また、運転者シート１７の下部にはリヤクッション３４が設けられる。このリヤクッション３４は電動でばね力を調節して運転者の体重に応じてサスペンションの初期加重を調整することができる油圧ユニット（図示しない）に結合される。車両１はスタンド３５を使用して自立させることができる。
【００１８】
次に、前記メータユニット１０のパネル面を説明する。図２は自動二輪車の運転者シート側から見たメータユニットの平面図である。同図において、メータユニット１０上部に位置するメータパネル１００の中央部には、スピードメータ１１０が設けられ、その左にはタコメータ１２０、右には燃料計１３０および水温計１４０がそれぞれ配置されている。メータパネル１００の下方には、ラジオや無線通信等の選局情報や音量等を示す情報や文字・絵等を表示する情報表示パネル１５０およびその操作スイッチ１６０が設けられている。
【００１９】
スピードメータ１１０内には、変速装置のリバース表示灯１１１、ニュートラル表示灯１１２、オイルインジケータ１１４、およびＦＩ（燃料噴射）警告灯１１５が配置され、かつニュートラル表示灯１１２およびオイルインジケータ１１４の間には調光用の光センサ１１３が配置される。また、燃料計１３０と水温計１４０との間には縦一列にオートクルーズ表示灯１３１およびオートクルーズセット表示灯１３２、ならびにハイビーム表示灯１４１、サイドスタンド起立警告灯１４２、およびＡＢＳ（アンチロックブレーキシステム）警告灯１４３が配置される。
【００２０】
ＡＢＳ警告灯１４３の左側にはライト点滅インジケータ１４４、右側には燃料エンプティインジケータ１４５が配置される。タコメータ１２０の下部には時計１２１が設けられ、スピードメータ１１０の上方左右にはウインカインジケータ１７０，１７１が設けられる。
【００２１】
図１はメータユニット１０の構造を示す断面図である。同図において、メータユニット１０のケースは下部ケース１０１、上部ケース１０３、底板１０４、およびレンズ１０６からなる。下部ケース１０１にはボルト１０２が植立されており、メータユニット１０はこのボルト１０２を使用して前記フロントカウル１１に固定される。下部ケース１０１の前面には上部ケース１０３が設けられ、下部ケース１０１にはケース底板１０４が取り付けられる。ケース底板１０４と上部ケース１０３との間には、メータパネル１００の表示面となる透光性の文字板１１７が設けられ、文字板１１７の斜め下には下部ケース１０１から立ち上げられたステム１０１ａで支持された情報表示パネル１５０の本体としての液晶パネル１５１が挟み込まれている。図示のように、文字板１１７と液晶パネル１５１の面は、互いに段差を有していて、液晶パネル１５１の表面の方が運転者の目に近い位置に設定される。
【００２２】
文字板１１７には指針１１８の軸が貫通されていて、この文字板１１７上に先端が露出するよう光センサ１１３が設けられる。指針１１８の駆動部１１９、光センサ１１３のリード線（脚部）１１３ａ、および文字板１１７を裏面から透過的に照射して文字等を光らせているランプ１０５が設けられる。リード線１１３ａおよび光センサ１１３の頭部下方を覆って、ランプ１０５の光が光センサ１１３に直接入射しないようにするためのプレート１５２が設けられる。このプレート１５２によってセンサ１１３はランプ１０５による照射光の影響を受けず、外光に対応して正確に調光を行うことができる。
【００２３】
光ンサ１１３としてはフォトトランジスタのような光電変換素子が用いられ、照射照度つまり文字板１１７上に照射される光強度に対応した信号を後述の調光装置に出力する。調光装置では光センサ１１３の特性と光センサ１１３の出力とに基づいて照度を判断し、この照度を予定値に合わせるよう前記ランプ１０５の輝度を制御する。メータユニット１０の前面には各部構成要素を保護するためのレンズ１０６はアクリル樹脂であるのが好ましい。このレンズ１０６はメータパネル１００と情報表示パネル１５０とを一体的に覆うように形成され、これらを各々別々に覆うレンズとするよりも成型工程および組立工程を簡素化することができる。
【００２４】
メータユニット１０の前面にはパネルカバー１２２が設けられる。なお、パネルカバー１２２については図３の斜視図を併せて参照する。パネルカバー１２２はメータユニット１０およびその左右に設けられるスピーカパネル（図示しない）をも一体的にカバーするよう形成される。パネルカバー１２２に形成された孔１２０ａ、１１０ａは、それぞれタコメータ１２０およびスピードメータ１１０の表示位置に対応し、孔１３０ａは燃料計１３０および水温計１４０の表示位置に対応するよう形成される。また、孔１５０ａは情報表示パネル１５０の表示位置に対応するよう形成される。
【００２５】
パネルカバー１２２の上張出部１２２ａはメータパネル１００用のバイザー５０の一部を形成し、下張出部１２２ｂは情報表示パネル１５０用のバイザーを形成する。上張出部１２２ａの上端には、運転者の方へ向かって上方に延びるバイザー５０の本体５０ａがかぶさっている。バイザー本体５０ａの下部はメータユニット１０等とともに、フロントフェアリング１１に覆われたステー（図示しない）に固定される。
【００２６】
上述のようにメータパネル１００と情報表示パネル１５０とは互いに段差を有しているが、両者間に第２のバイザーとしての下張出部１２２ｂを設けているので、互いの段差やこの段差に対応してレンズ１０６に形成されている段差が目立ちにくい。
【００２７】
図４は、調光装置の要部構成を示すブロック図である。同図において、光センサ１１３は入射光の強度に応じた光電流を生じ、この光電流はＡ／Ｄ変換器５１でデジタル信号に変換される。このデジタル信号は比較部５２で照度基準値Ｌref と比較され、比較部５２は、前記デジタル信号の値が照度基準値Ｌref より小さいときはＵｐ信号を、大きい場合はＤｎ信号を調光装置５３にそれぞれ出力する。なお、基準値Ｌref は動作を安定化させるための不感帯を有することができる。調光装置５３は比較部５２から出力される信号に応答し、Ｕｐ信号に対してはランプ１０５に電源５４から供給される電流を増大させ、Ｄｎ信号に対してはランプ１０５に電源５４から供給される電流を減少させるよう動作する。
【００２８】
このように、本実施形態では、実際に情報が表示されるメータパネル１００の表示面において照度を検出して光源の輝度を基準値に合致させるよう制御することができる。
【００２９】
【発明の効果】
以上の説明から明らかなとおり、請求項１または請求項２の発明によれば、広い表示面を確保しつつも、運転者側への突出量を大きくすることなく表示面への外光の写り込みを防止できる。また、第２のバイザーにより、区画された表示部の表示内容を運転者に意識させやすくなる。
【００３０】
さらに、請求項２の発明によれば、大きい表示面積を確保できるとともに、運転者寄りに表示面を近付けても、第２のバイザーにより外光の写り込みを防止して、見易い計器盤にすることができる。
【図面の簡単な説明】
【図１】  メータユニットの側面断面図である。
【図２】  本発明の一実施形態に係るメータユニットの正面図である。
【図３】  パネルカバーの斜視図である。
【図４】  調光装置の要部を示すブロック図である。
【図５】  本発明の一実施形態に係る表示装置を搭載した自動二輪車の側面図である。
【図６】  バイザー長さと表示部との位置関係を示す車両の要部断面図である。
【符号の説明】
１…自動二輪車、  ２…エンジン、  １０…メータユニット、  １１…フロントフェアリング、  １４…風防スクリーン、  ５０，５０ａ，１２２ａ…バイザー、  １００…メータパネル、  １０５…ランプ（灯火手段）、  １１３…光センサ、  １２２ｂ…下張出部（第２のバイザー）、  １５０…情報表示パネル
【図１】
0003867833.tif 000002
【図２】
0003867833.tif 000003
【図３】
0003867833.tif 000004
【図４】
0003867833.tif 000005
【図５】
0003867833.tif 000006
【図６】
0003867833.tif 000007